(57)【要約】【課題】  本発明は、階段の側壁を構成するささら桁に組み付ける階段用部材において、施工作業が簡単で、且つ部材費が安価な階段用部材を提供することを目的とする。【解決手段】  上下に組み合わせて階段を構成するための階段用部材であって、前記階段用部材は蹴込み部と踏面受け部とを備えて略Ｌ字状に成型され、前記蹴込み部の上端に上位の階段用部材に係合する第一係合部を形成し、前記踏面受け部の先端に下位の階段用部材と係合する第二係合部を形成するとともに、前記踏面受け部に下方へ向いて膨出する溶接代部を形成したことを特徴とする階段用部材。【選択図】        図１
2005315020.tif 000002
【特許請求の範囲】
【請求項１】
上下に組み合わせて階段を構成するための階段用部材であって、前記階段用部材は蹴込み部と踏面受け部とを備えて略Ｌ字状に成型され、前記蹴込み部の上端に上位の階段用部材と係合する第一係合部を形成し、前記踏面受け部の先端に下位の階段用部材と係合する第二係合部を形成するとともに、前記踏面受け部に下方に向いて膨出する溶接代部を形成したことを特徴とする階段用部材。
【請求項２】
前記蹴込み部の上端を折り曲げて下方を向かせた折り返し片を形成して前記第一係合部とすると共に、前記踏面受け部の先端を下方に傾斜させて傾斜部を形成し、前記傾斜部の端縁から立ち上り部を形成して前記第二係合部としたことを特徴とする請求項１記載の階段用部材。
【請求項３】
前記第二係合部を前記踏面受け部の先端に円弧状の薄板からなる円弧部を有するものとしたことを特徴とする請求項１記載の階段用部材。
【発明の詳細な説明】
【技術分野】
【０００１】
本発明は、階段の側壁を構成するささら桁に組み付ける階段用部材に関するものである。
【背景技術】
【０００２】
従来、図７に示すような、階段の側壁を構成するささら桁Ｓに連続的に組み付けられる金属製の階段用部材７が存在する（例えば、特許文献１参照）。
【０００３】
この階段用部材７は、蹴込み部７１と踏面受け部７２とからなり、蹴込み部７１の下端には後方に凹ませた溶接代部７３が形成されている。
【０００４】
この階段用部材７をささら桁Ｓに固定するには、踏面受け部７２の先端に設けたナット部７４にささら桁Ｓを介してボルトを挿通すると共に、溶接代部７３とささら桁Ｓとを溶接する。
【０００５】
このように、階段用部材７は溶接代部７３をささら桁Ｓに溶接して組み付けられるが、溶接した箇所は外観上見栄えが悪いことから露出しない方が好ましい。
【０００６】
この溶接した箇所を隠すために、この階段用部材７では、蹴込み部７１の下端を後方へ凹ませて溶接代部７３を形成し、その凹みを丁度覆うように略Ｌ字状の踏板７５を貼り合せることにより、溶接した箇所の目隠しをしている。
【特許文献１】実開平５−４７１７７号公報
【発明の開示】
【発明が解決しようとする課題】
【０００７】
しかし、この階段用部材７では、成型する際に曲げ加工を要する略Ｌ字状の踏板７５を貼り合わせていることから材料費が高くなる。そのうえ、踏板７５を貼り合わせる際に、踏板７５の端縁Ｔと、蹴込み部７１に形成した溶接代部７３の端縁Ｔ´との接合部において大きな段差が生じると、カーペット等の仕上げ材を踏板７５の上から体裁良く貼り合わせることができないので、踏板７５を蹴込み部７１と略面一になるように貼り合せる必要があり、施工作業に手間と時間を要していた。
【０００８】
そこで、本発明は、施工作業が簡単で、部材費が安価な階段用部材を提供することを目的とする。
【課題を解決するための手段】
【０００９】
本発明は、上下に組み合わせて階段を構成するための階段用部材であって、前記階段用部材は蹴込み部と踏面受け部とを備えて略Ｌ字状に成型され、前記蹴込み部の上端に上位の階段用部材と係合する第一係合部を形成し、前記踏面受け部の先端に下位の階段用部材と係合する第二係合部を形成するとともに、前記踏面受け部に下方に向いて膨出する溶接代部を形成したことを特徴とする階段用部材である。
【００１０】
このようなものであると、階段を構成する踏面を形成するのに、曲げ加工を要する略Ｌ字状の踏板を用いることなく、平板状の踏板を貼り合せるだけで溶接箇所が露出しないように目隠しできるので材料費が安価となり、さらに、踏板を貼り合せる際に踏板と蹴込み部とを略面一に接合するための作業が不要になるので施工作業が容易になる。
【００１１】
また、階段用部材の組み付け作業を容易にするためには、前記蹴込み部の上端を折り曲げて下方を向かせた折り返し片を形成して前記第一係合部とすると共に、前記踏面受け部の先端を下方に傾斜させて傾斜部を形成し、前記傾斜部の端縁から立ち上り部を形成して前記第二係合部とすることが好ましい。
【００１２】
また、荷重によって変形し難いように階段用部材の強度を上げるには、前記第二係合部を、前記踏面受け部の先端に円弧状の薄板からなる円弧部を有するものとすることが好ましい。
【発明の効果】
【００１３】
本発明は、上述のような構成としたことで、階段を構成する踏面を形成するのに、曲げ加工を要する略Ｌ字状の踏板を用いることなく、平板状の踏板を貼り合せるだけで溶接箇所が露出しないように目隠しできるので材料費が安価となり、さらに、踏板を貼り合せる際に踏板と蹴込み部とを略面一に接合するための作業が不要になるので施工作業が容易になる。
【００１４】
また、上述のような構成としたことで、階段用部材の組み付け作業が容易になる。
【００１５】
また、上述のような構成としたことで、階段用部材の強度が上がり、荷重によって変形し難くなる。また、階段用部材に貼り合わせる踏板を薄くしても十分な強度を維持できるので、踏板の材料費を安価にできる。
【発明を実施するための最良の形態】
【００１６】
以下、本発明を実施するための最良の形態を、実施例として示す各図と共に説明する。図１ないし図６は本発明の階段用部材の実施例である。
【実施例１】
【００１７】
図１、２、５は本発明の実施例１の階段用部材Ｋを示し、図１は階段用部材Ｋの側面図であり、図２はささら桁Ｓに階段用部材Ｋを連続して組み付けた状態を示す図であり、図５は階段用部材Ｋの平面図である。
【００１８】
図１に示すとおり、本発明の実施例１の階段用部材Ｋは、金属製の薄板に曲げ加工を施して成型したものであり、蹴込み部１と、踏面受け部２と、第一係合部１１と、第二係合部２１と、溶接代部３とから構成される。
【００１９】
蹴込み部１の上端には第一係合部１１が形成されている。この第一係合部１１は蹴込み部１の上端を折り曲げて下方を向かせた折り返し片１２によって形成されており、図２のように、折り返し片１２´が立ち上がり部２３に係合することにより、上位の階段用部材Ｋと下位の階段用部材Ｋ´が連結するようになっている。
【００２０】
踏面受け部２の先端には第二係合部２１が形成されている。この第二係合部２１は傾斜部２２と立ち上がり部２３とから構成され、傾斜部２２は踏面受け部２の先端から下方に向けて傾斜する薄板で形成され、立ち上がり部２３は傾斜部２２の端縁から上方に向けて立設する薄板で形成されている。
【００２１】
この傾斜部２２と立ち上がり部２３の間には、一対の固定ピース２４が形成されている（図５、６参照）。この固定ピース２４にはボルトＢを挿通するためのナット部２５が形成されている。
【００２２】
また、固定ピース２４と立ち上がり部２３の間には係合スペース２６を設けている。
【００２３】
上記の踏面受け部２の後端には、さらに、溶接代部３が形成されている。この溶接代部３は階段用部材Ｋをささら桁Ｓに溶接する部分である。この溶接代部３は踏面受け部２の後端を下方向に膨出して形成されている。このようなものであると、階段を構成する踏面を形成するのに、曲げ加工を要する略Ｌ字状の踏板を用いることなく、平板状の踏板を貼り合せるだけで溶接箇所が露出しないように目隠しできるので材料費が安価となり、さらに、踏板を貼り合せる際に踏板と蹴込み部とを面一に接合するための作業が不要になるので施工作業が容易になる。
【００２４】
この階段用部材Ｋをささら桁Ｓに組み付けるには、まず上位の階段用部材Ｋを組み付け、その後に下位の階段用部材Ｋ´を連結してゆく。
【００２５】
図２のとおり、上位の階段用部材Ｋは、踏面受け部２の先端側に設けた固定ピース２４に形成されたナット部２５にささら桁Ｓを介してボルトＢを挿通すると共に、溶接代部３をささら桁Ｓに溶接して固定する。
【００２６】
次に、下位の階段用部材Ｋ´は、その折り返し片１２´を上位の階段用部材Ｋの第二係合部２１の立ち上がり部２３に係合させた後、上位の階段用部材Ｋと同様にボルト及び溶接によって固定される。
【００２７】
このようにして階段用部材Ｋ、Ｋ´・・・の組み付けは完了する。
【００２８】
その後、踏面を形成するために階段用部材Ｋの上方向から踏板４を貼り合せてゆく。踏板４は、図２及び図６に示すとおり矩形の平板状であり、先後幅は階段用部材Ｋの溶接代部３の後端縁から立ち上がり部２３の先端縁までの幅と略同一の幅であり、左右幅は溶接代部３の左右幅と略同一である。また、踏板４の厚みは約２．３ｍｍのものを用いている。この平板状の踏板４を貼り合せると、溶接箇所が露出しないように目隠しができる。さらに、踏板４を貼り合せる際に踏板４と蹴込み部１とを略面一に接合する作業が不要になるので施工作業が容易になる。
【００２９】
なお、踏板４の表面の体裁を良くするために、踏板４の上方にはシートやカーペット等の仕上げ材５を貼り合わせている。
【００３０】
また、人が階段を踏み外して怪我等をする危険性を少なくするために、仕上げ材５の先端には滑り止め用の刻み目を施したノンスリップ材６を形成している。
【００３１】
なお、階段の振動を抑えることを考慮する場合は、特に、上記の踏板４に代えて、同形状の制振用鋼板を用いても良い。
【実施例２】
【００３２】
図３、４、５、６は本発明の実施例２を示し、図３は階段用部材Ｋの側面図であり、図４はささら桁Ｓに階段用部材Ｋを連続して組み付けた状態を示す図であり、図５は階段用部材Ｋの平面図であり（実施例１と共通）、図６は階段用部材Ｋの斜視図である。
【００３３】
実施例２は第二係合部の構成以外は実施例１と実質的に同一である（よって、実施例２を表す図面には上記の実施例１の符号を使用し、その説明は省略する）。
【００３４】
実施例２の第二係合部は、踏面受け部２の先端に円弧状の薄板からなる円弧部２７を有するものである。この第二係合部は、踏面受け部の先端から円弧状に湾曲した薄板からなる円弧部２７と、立ち上がり部２３とから構成され、立ち上がり部２３は円弧部２７の端縁から上方に向いて立設する薄板で形成されている。
【００３５】
このようなものであると、実施例１のように直線の傾斜部で構成される場合に比較して、階段用部材Ｋの強度が上がり、荷重によって変形し難くなる。また、階段用部材Ｋに貼り合わせる踏板４を薄くしても十分な強度を維持できるので、踏板４の材料費を安価にできる。
【００３６】
なお、本発明は踏面受け部に下方に向いて膨出する溶接代部を形成したことを特徴とするが、踏面受け部の先端又は後端のいずれでも下方に向いて膨出する溶接代部を形成することができる。また、踏面受け部の先後両端に溶接代部を形成することもできる。いずれの場合であっても、平板状の踏板を貼り合せるだけで溶接箇所が露出しないように目隠しができるので材料費が安価となり、さらに、踏板を貼り合せる際に踏板と蹴込み部とを面一に接合する作業が不要になるので施工作業が容易になる。
【図面の簡単な説明】
【００３７】
【図１】本発明の実施例１の階段用部材Ｋの側面図。
【図２】本発明の実施例１の階段用部材Ｋをささら桁Ｓに連続して組み付けた状態を示す図。
【図３】本発明の実施例２の階段用部材Ｋの側面図。
【図４】本発明の実施例２の階段用部材Ｋをささら桁Ｓに連続して組み付けた状態を示す図。
【図５】本発明の実施例の平面図。
【図６】本発明の実施例２の階段用部材Ｋの斜視図。
【図７】従来の階段用部材の側面図。
【符号の説明】
【００３８】
１  蹴込み部
１１  第一係合部
１２  折り返し片
２  踏面受け部
２１  第二係合部
２２  傾斜部
２３  立ち上がり部
２４  固定ピース
２５  ナット部
２６  係合スペース
２７  円弧部
３  溶接代部
４  踏板
５  仕上げ材
６  ノンスリップ材
Ｋ  階段用部材（上位）
Ｋ´  階段用部材（下位）
Ｓ  ささら桁
Ｂ  ボルト
【図１】
2005315020.tif 000003
【図２】
2005315020.tif 000004
【図３】
2005315020.tif 000005
【図４】
2005315020.tif 000006
【図５】
2005315020.tif 000007
【図６】
2005315020.tif 000008
【図７】
2005315020.tif 000009